(57)【要約】【課題】複数の携帯端末と制御装置とが通信端末を介して通信を行う場合に、携帯端末と制御装置との通信関係を明確にする。【解決手段】医用画像システム１００において、複数台の携帯端末１０、通信端末１０−１及び制御装置２０がネットワークＮを介して接続される場合に、通信可能な携帯端末１０を制御装置２０に予め設定しておき、通信端末１０−１に携帯端末１０が装着された場合に、携帯端末１０の識別情報を制御装置２０に送信させ、当該携帯端末が通信可能な携帯端末１０として制御装置２０に設定されている場合、制御装置２０の表示部２３に、当該携帯端末１０に対応するアイコンを表示させることにより、携帯端末１０と制御装置２０との通信状態を明確にする。【選択図】図１
2005144038.tif 000002
【特許請求の範囲】
【請求項１】
撮影オーダ情報を管理する複数の制御装置と、前記制御装置との間で撮影オーダ情報の送受信を行う一以上の携帯端末とがネットワークを介して接続される医用画像システムであって、
通信可能な携帯端末を設定する通信設定手段と、
前記携帯端末のネットワークへの接続の有無を検出する接続検出手段と、
前記接続検出手段によりネットワークへの接続を検出された携帯端末が、前記通信設定手段に設定された携帯端末であるか否かを判別する判別手段と、
前記接続検出手段による接続の有無及び前記判別手段の判別結果に基づいて、当該携帯端末の通信状態情報を表示手段に表示させる表示制御手段と、
を備えることを特徴とする医用画像システム。
【請求項２】
前記表示制御手段は、前記判別手段により、ネットワークへの接続を検出された携帯端末が、前記通信手段に設定された携帯端末であると判別された場合に、当該携帯端末が通信可能であることを示す通信状態情報を表示手段に表示させることを特徴とする請求項１記載の医用画像システム。
【請求項３】
前記接続検出手段は、前記制御装置と前記携帯端末との間で情報の送受信の有無を検出し、
前記表示制御手段は、前記接続検出手段により、前記制御装置と前記携帯端末との間で情報の送受信が検出された場合に、当該携帯端末が通信中であることを示す通信状態情報を表示手段に表示させることを特徴とする請求項１記載の医用画像システム。
【請求項４】
前記通信設定手段は、通信可能な携帯端末の識別情報と、当該携帯端末を管理するユーザの識別情報とを対応付けて記憶し、
前記表示制御手段は、携帯端末の通信状態情報を表示させる際に、当該携帯端末に対応するユーザの識別情報を表示手段に表示させることを特徴とする請求項１から３のいずれか一項に記載の医用画像システム。
【請求項５】
前記表示制御手段は、前記通信状態情報として、携帯端末の識別情報及びユーザの識別情報のうち少なくとも一方を付帯させた図柄を表示手段に表示させることを特徴とする請求項４記載の医用画像システム。
【請求項６】
ネットワークを介して接続される一以上の携帯端末との間で撮影オーダ情報の送受信を行う制御装置であって、
通信可能な携帯端末を設定する通信設定手段と、
前記携帯端末のネットワークへの接続の有無を検出する接続検出手段と、
前記接続検出手段によりネットワークへの接続を検出された携帯端末が、前記通信設定手段に設定された携帯端末であるか否かを判別する判別手段と、
前記接続検出手段による接続の有無及び前記判別手段の判別結果に基づいて、当該携帯端末の通信状態情報を表示手段に表示させる表示制御手段と、
を備えることを特徴とする制御装置。
【請求項７】
前記表示制御手段は、前記判別手段により、ネットワークへの接続を検出された携帯端末が、前記通信手段に設定された携帯端末であると判別された場合に、当該携帯端末が通信可能であることを示す通信状態情報を表示手段に表示させることを特徴とする請求項６記載の制御装置。
【請求項８】
前記接続検出手段は、前記携帯端末との間で情報の送受信の有無を検出し、
前記表示制御手段は、前記接続検出手段により、前記携帯端末との間で情報の送受信が検出された場合に、当該携帯端末が通信中であることを示す通信状態情報を表示手段に表示させることを特徴とする請求項６記載の制御装置。
【請求項９】
前記通信設定手段は、通信可能な携帯端末の識別情報と、当該携帯端末を管理するユーザの識別情報とを対応付けて記憶し、
前記表示制御手段は、携帯端末の通信状態情報を表示させる際に、当該携帯端末に対応するユーザの識別情報を表示手段に表示させることを特徴とする請求項６から８のいずれか一項に記載の制御装置。
【請求項１０】
前記表示制御手段は、前記通信状態情報として、携帯端末の識別情報及びユーザの識別情報のうち少なくとも一方を付帯させた図柄を表示手段に表示させることを特徴とする請求項９記載の制御装置。
【発明の詳細な説明】
【技術分野】
【０００１】
本発明は、撮影オーダ情報を管理する制御装置と、撮影オーダ情報を利用する携帯端末とがネットワークを介して接続される医用画像システム及び制御装置に関する。
【背景技術】
【０００２】
近時、医用画像として広く用いられている放射線画像をデジタル画像データとして取得するＣＲ（Computed Radiography）装置等の放射線撮影装置を有する医用画像システムが開発されている。この放射線画像を得るための方法として、照射された放射線エネルギーを蓄積、記録し、励起光を照射すると蓄積、記録された放射線エネルギーに応じて輝尽発光する「輝尽性蛍光体」を用いた放射線像変換パネルが利用される。
【０００３】
特に最近では、持ち運び可能なカセッテ型の放射線像変換パネル（以下、「カセッテ」と記す）を利用して、患者が収容されている病室内のベットサイドでＸ線撮影が行える移動型の放射線撮影装置（以下、ポータブル撮影装置という。）が実現されている（例えば、特許文献１参照。）。このポータブル撮影装置を用いれば、骨折や脳血管疾患等の患者や集中治療室にて管理中の患者等、放射線撮影室まで移動できない患者に対してもＸ線撮影を容易に行うことができる。
【０００４】
ポータブル撮影装置により回診先で撮影を行う場合、まず技師は、病院内の情報管理システム（以下、「ＨＩＳ（Hospital Information System）」と記す）や放射線科内の情報管理システム（以下、「ＲＩＳ（Radiology Information System）」と記す）等において、医師からの指示により作成された撮影オーダ情報を自己が所持する携帯端末に取得させる。この撮影オーダ情報には、撮影する患者の氏名や性別等の患者に関する情報（以下、「患者情報」と記す）や、撮影部位や撮影方法等の撮影に関する情報（以下、「撮影情報」と記す）が含まれ、どの患者に対して、どのような撮影を行うかといった指示が示されている。
【０００５】
次いで、ポータブル撮影装置、カセッテ、携帯端末等を患者がいる病室に搬送し、携帯端末に記憶させた撮影オーダ情報に基づいて撮影対象となる患者の確認を行う。続いて、技師は、どのカセッテを使って撮影を行ったかを明確にするため、使用するカセットに固有の識別情報を撮影オーダ情報に対応付けて携帯端末に記憶させる。そして、ポータブル撮影装置を操作して患者の撮影を実行し、医用画像をカセッテに記録する。
【０００６】
さらに、撮影終了後、撮影室に戻り、技師は、撮影に使用したカセッテの識別情報に撮影オーダ情報を対応付けて携帯端末から制御装置に送信する。続いて、医用画像が記録されたカセッテをカセッテ用の読取装置に挿入して、カセッテから医用画像を読み取る。そして、制御装置において、読取装置により読み取った医用画像と、撮影オーダ情報との対応付けを行い、医用画像を管理する。
【特許文献１】特開２０００―１３９８８８号公報
【発明の開示】
【発明が解決しようとする課題】
【０００７】
ところで、上述した撮影室には、複数の制御装置が設置されており、技師はネットワークに接続された通信端末に携帯端末をセットして、通信端末を介して制御装置と携帯端末との間で情報の送受信を行う。そこで、制御装置は、通信可能な携帯端末を予め複数台設定しておき、通信端末に携帯端末が装着されると、設定されている制御装置と携帯端末との間で通信を開始するようになっている。
【０００８】
しかしながら、制御装置がネットワーク上に複数台接続されている場合、どの制御装置との間で通信設定が行われているか、携帯端末がどの制御装置と通信可能な状態であるかを把握することが困難であるという問題があった。また、携帯端末が複数台通信端末にセットされ、制御装置との間で通信が行われている場合、どの通信端末と制御装置が通信を行っているかを容易に把握できないという問題があった。このため、例えば、通信端末に携帯端末を装着したにも関わらず、制御装置との通信が開始されない場合、携帯端末に問題が発生しているのか、いずれかの制御装置に問題が発生しているのか、ネットワーク上で問題が発生しているのかを特定することが困難であるという問題もあった。
【０００９】
本発明の課題は、複数の携帯端末と制御装置とがネットワークを介して通信を行う場合に、携帯端末と制御装置との通信関係を明確にすることができる医用画像システム及び制御装置を提供することである。
【課題を解決するための手段】
【００１０】
上記課題を解決するために、請求項１記載の発明は、
撮影オーダ情報を管理する複数の制御装置と、前記制御装置との間で撮影オーダ情報の送受信を行う一以上の携帯端末とがネットワークを介して接続される医用画像システムであって、
通信可能な携帯端末を設定する通信設定手段と、
前記携帯端末のネットワークへの接続の有無を検出する接続検出手段と、
前記接続検出手段によりネットワークへの接続を検出された携帯端末が、前記通信設定手段に設定された携帯端末であるか否かを判別する判別手段と、
前記接続検出手段による接続の有無及び前記判別手段の判別結果に基づいて、当該携帯端末の通信状態情報を表示手段に表示させる表示制御手段と、
を備えることを特徴としている。
【００１１】
請求項２記載の発明は、請求項１記載の医用画像システムにおいて、
前記表示制御手段は、前記判別手段により、ネットワークへの接続を検出された携帯端末が、前記通信手段に設定された携帯端末であると判別された場合に、当該携帯端末が通信可能であることを示す通信状態情報を表示手段に表示させることを特徴としている。
【００１２】
請求項３記載の発明は、請求項１記載の医用画像システムにおいて、
前記接続検出手段は、前記制御装置と前記携帯端末との間で情報の送受信の有無を検出し、
前記表示制御手段は、前記接続検出手段により、前記制御装置と前記携帯端末との間で情報の送受信が検出された場合に、当該携帯端末が通信中であることを示す通信状態情報を表示手段に表示させることを特徴としている。
【００１３】
請求項４記載の発明は、請求項１から３のいずれか一項に記載の医用画像システムにおいて、
前記通信設定手段は、通信可能な携帯端末の識別情報と、当該携帯端末を管理するユーザの識別情報とを対応付けて記憶し、
前記表示制御手段は、携帯端末の通信状態情報を表示させる際に、当該携帯端末に対応するユーザの識別情報を表示手段に表示させることを特徴としている。
【００１４】
請求項５記載の発明は、請求項４記載の医用画像システムにおいて、
前記表示制御手段は、前記通信状態情報として、携帯端末の識別情報及びユーザの識別情報のうち少なくとも一方を付帯させた図柄を表示手段に表示させることを特徴としている。
【００１５】
請求項６記載の発明は、
ネットワークを介して一以上の携帯端末に接続され、前記携帯端末との間で撮影オーダ情報の送受信を行う制御装置であって、
通信可能な携帯端末を設定する通信設定手段と、
前記携帯端末のネットワークへの接続の有無を検出する接続検出手段と、
前記接続検出手段によりネットワークへの接続を検出された携帯端末が、前記通信設定手段に設定された携帯端末であるか否かを判別する判別手段と、
前記接続検出手段による接続の有無及び前記判別手段の判別結果に基づいて、当該携帯端末の通信状態情報を表示手段に表示させる表示制御手段と、
を備えることを特徴としている。
【００１６】
請求項７記載の発明は、請求項６記載の制御装置において、
前記表示制御手段は、前記判別手段により、ネットワークへの接続を検出された携帯端末が、前記通信手段に設定された携帯端末であると判別された場合に、当該携帯端末が通信可能であることを示す通信状態情報を表示手段に表示させることを特徴としている。
【００１７】
請求項８記載の発明は、請求項６記載の制御装置において、
前記接続検出手段は、前記携帯端末との間で情報の送受信の有無を検出し、
前記表示制御手段は、前記接続検出手段により、前記携帯端末との間で情報の送受信が検出された場合に、当該携帯端末が通信中であることを示す通信状態情報を表示手段に表示させることを特徴としている。
【００１８】
請求項９記載の発明は、請求項６から８のいずれか一項に記載の制御装置において、
前記通信設定手段は、通信可能な携帯端末の識別情報と、当該携帯端末を管理するユーザの識別情報とを対応付けて記憶し、
前記表示制御手段は、携帯端末の通信状態情報を表示させる際に、当該携帯端末に対応するユーザの識別情報を表示手段に表示させることを特徴としている。
【００１９】
請求項１０記載の発明は、請求項９記載の制御装置において、
前記表示制御手段は、前記通信状態情報として、携帯端末の識別情報及びユーザの識別情報のうち少なくとも一方を付帯させた図柄を表示手段に表示させることを特徴としている。
【発明の効果】
【００２０】
請求項１又は６記載の発明によれば、表示手段に携帯端末の通信状態情報を表示させることにより、制御装置と通信可能な携帯端末を容易に把握することができるため、例えば、医用画像システムに複数台の制御装置と、複数台の携帯端末が設けられている場合に、通信可能な制御装置及び携帯端末の組み合わせを速やかに認識して、各種通信処理を行うことができる。また、携帯端末がネットワークに接続されたにも関わらず、制御装置と通信が行えない場合に、通信状態情報に基づいて、不具合の発生している原因を速やかに特定することができる。これにより、迅速に不具合を解消して、業務の中断を防ぐことができる。
【００２１】
請求項２又は７記載の発明によれば、携帯端末が通信可能であることを示す通信状態情報を表示させることにより、通信可能な制御装置及び携帯端末の組み合わせを的確に把握して、制御装置と携帯端末との間で通信処理を行うことができる。
【００２２】
請求項３又は８記載の発明によれば、携帯端末が通信中であることを示す通信状態情報を表示させることにより、例えば、誤って通信中に他の処理が行われたり、携帯端末の接続が切断されてしまうことを防止することができる。
【００２３】
請求項４又は９記載の発明によれば、携帯端末の通信状態情報を表示させる際に、対応するユーザの識別情報も表示されるため、通信可能な携帯端末を管理するユーザは、自己の携帯端末についての通信状態を容易に把握することができる。
【００２４】
請求項５又は１０記載の発明によれば、携帯端末の通信状態情報として、携帯端末の識別情報及びユーザの識別情報のうち少なくとも一方を付帯させた図柄を表示させるため、一見して、携帯端末の通信状態を認識することができ、視認性がよい。
【発明を実施するための最良の形態】
【００２５】
以下、図１〜図７を参照して本発明の実施の形態を詳細に説明する。ただし、発明の範囲は、図示例に限定されない。なお、以下では、本発明に特徴的な実施の形態の一例として、持ち運び可能な携帯端末と、移動可能なポータブル撮影装置とを利用した、回診先にて撮影を行う医用画像システムについて説明を行う。
【００２６】
まず、本実施の形態の構成を説明する。
図１は、本発明に係る医用画像システム１００のシステム構成を示す概念図である。図１に示すように、医用画像システム１は、携帯端末１０ａ〜ｃ、通信端末１０−１ａ〜ｄ、制御装置２０、医用画像読取装置３０、ポータブル撮影装置４０、カセッテ５０、情報管理装置６０等から構成されている。また、通信端末１０−１ａ〜ｄ、制御装置２０、医用画像読取装置３０及び情報管理装置６０は、ネットワークＮを介して接続されており、携帯端末１０ａ〜ｃ及び制御装置２０は、通信端末１０−１ａ〜ｄを介して接続可能な構成となっている。
【００２７】
携帯端末１０ａ〜ｃ（以下、統括的に「携帯端末１０」と記す）は、ポータブル撮影装置４０を操作する技師等が携帯する携帯型情報端末装置であり、後述する通信端末１０−１ａ〜ｄを介して制御装置２０と通信を行う。この携帯端末１０は、撮影前に制御装置２０から撮影オーダ情報を取得し、撮影時に撮影オーダ情報と対応付けて、撮影に使用されたカセッテ５０の識別情報（以下、「カセッテＩＤ」と記す）を記憶する。そして、撮影終了後、カセッテＩＤと撮影オーダ情報とを対応付けて制御装置に送信する。
【００２８】
通信端末１０−１ａ〜ｄ（以下、統括的に「通信端末１０−１」と記す）は、ネットワークＮに接続され、通信端末１０−１に装着された携帯端末１０と制御装置２０との間でデータの送受信を制御する。例えば、通信端末１０−１は、制御装置２０から携帯端末１０への撮影オーダ情報の送信を制御したり、携帯端末１０から制御装置２０への撮影オーダ情報及びカセッテＩＤの送信を制御する。
【００２９】
制御装置２０は、情報管理装置６０から撮影オーダ情報を受信し、受信した撮影オーダ情報を通信端末１０−１を介して携帯端末１０に送信する。また、制御装置２０は、撮影終了後、携帯端末１０から撮影オーダ情報に対応付けられたカセッテＩＤを受信し、カセッテＩＤに基づいて撮影オーダ情報と医用画像との対応付けを行い、医用画像を管理する。さらに、撮影オーダ情報とカセッテＩＤとを対応付けて情報管理装置６０に送信する。
【００３０】
医用画像読取装置３０は、カセッテ５０に記録された医用画像を読み取る医用画像読取装置である。医用画像読取装置３０は、カセッテ５０の輝尽性蛍光体シートに励起光を照射し、これによりシートから発光される輝尽光を光電変換し、得られた画像信号をＡ／Ｄ変換して、医用画像を取得する。また、医用画像読取装置３０は、カセッテ５０に付帯するカセッテＩＤを読み取り、医用画像と、カセッテＩＤを対応付けて制御装置２０に送信する。
【００３１】
ポータブル撮影装置４０は、移動可能な医用画像撮影装置であり、回診先において患者の撮影を行い、装置本体に着脱可能なカセッテ５０に医用画像を記録する。カセッテ５０は、放射線エネルギーの一部を蓄積する輝尽性蛍光体シートを内蔵しており、放射線源から照射され、照射線源とカセッテとの間に配置される被験体を通過した照射エネルギーの一部を上記輝尽性蛍光体シートに蓄積する。なお、カセッテ５０の表面には、カセッテ５０の識別情報となるカセッテＩＤを記録するバーコード等が付されている。
【００３２】
情報管理装置６０は、医師から指示された撮影オーダ情報を一括して管理する端末であり、制御装置２０からの要求指示に応じて、撮影オーダ情報を抽出し、制御装置２０に抽出した撮影オーダ情報を送信する。なお、他の情報管理装置として、撮影オーダ情報の予約受付を行う受付装置（図示せず）を適用しても良く、ＨＩＳ（Hospital Information System）やＲＩＳ（Radiology Information System）等の情報管理システムを適用することとしてもよい。
【００３３】
ネットワークＮは、ＬＡＮ（Local Area Network）やＷＡＮ（Wide Area Network）、インターネット等の様々な回線形態を適用可能である。なお、病院等の医療機関内で許可されるのであれば、無線通信や赤外線通信であってもよいが、撮影オーダ情報を送受信する際には重要な患者情報を含むため、撮影オーダ情報は暗号化することが好ましい。
【００３４】
次に、本発明において主要な構成要素となる各種装置について詳細に説明する。
図２は、携帯端末１０の機能的構成を示すブロック図である。図２に示すように、携帯端末１０は、ＣＰＵ１１、操作部１２、表示部１３、Ｉ／Ｆ１４、ＲＡＭ１５、記憶装置１６、バーコードリーダ１７等から構成され、各部はバス１８により接続されている。
【００３５】
ＣＰＵ（Central Processing Unit）１１は、記憶部１６に格納されているシステムプログラム及び各種アプリケーションプログラムの中から指定されたプログラムをＲＡＭ１５に展開し、当該プログラムに従って携帯端末１０の各部を集中制御する。
【００３６】
具体的にＣＰＵ１１は、記憶装置１６から通信設定処理プログラムを読み出して、制御装置２０に通信可能な携帯端末１０を設定させる通信設定処理（図５（ａ）参照）を実行する。なお、処理の詳細については後述する。
【００３７】
操作部１２は、カーソルキー、数字キー及び各種機能キー等を備えて構成され、撮影者により押下されたキーに対応する押下信号をＣＰＵ１１に出力する。また、操作部１２は、ジョグダイアルキーを備え、ジョグダイアルキーの操作に応じて表示部１３に表示された情報をスクロール（移動）させるための指示信号をＣＰＵ１１に出力する。また、ジョグダイアルキーが押下されると、表示されている情報に対する押下信号をＣＰＵ１１に出力する。なお、操作部１２は、必要に応じてタッチパネル等のポインティングデバイスや、その他の入力装置を備えるものとしてもよい。
【００３８】
表示部１３は、ＬＣＤ（Liquid Crystal Display）等による表示ディスプレイを備えた表示手段であり、ＣＰＵ１１からの表示指示に基づいて撮影オーダ情報や、取得した患者ＩＤ、カセッテＩＤ等の各種情報を表示する。
【００３９】
Ｉ／Ｆ１４は、携帯端末１０と通信端末１０−１とを接続するためのインターフェースであり、携帯端末１０が通信端末１０−１に装着されると、検出信号をＣＰＵ１１に出力する。また、Ｉ／Ｆ１４は、通信端末１０−１を介して、携帯端末１０と制御装置２０との間で、データの転送速度の調整や、データ形式の変換を行い、両者間のデータのやりとりを仲介する。
【００４０】
例えば、Ｉ／Ｆ１４は、通信設定処理に際して、操作部１２から入力された設定情報を制御装置２０に送信する。また、制御装置２０から撮影オーダ情報を受信するとともに、撮影終了後、撮影オーダ情報に対応づけられたカセッテＩＤを、制御装置２０に送信する。なお、Ｉ／Ｆ１４は、必要に応じてＰＨＳ等の携帯電話端末を接続し、無線通信を確立してデータの送受信を行う構成であってもよい。
【００４１】
ＲＡＭ（Random Access Memory）１５は、前述の指定されたアプリケーションプログラム、入力指示、入力データ及び処理結果等を格納するワークメモリエリアを有する。
【００４２】
記憶装置１６は、プログラムやデータが予め記憶されている記憶媒体（図示せず）を有しており、この記憶媒体は、システムプログラム、当該システムプログラムに対応する各種アプリケーションプログラム及び各種処理プログラムで処理されたデータ等を記憶する。また、この記憶媒体は磁気的、光学的記憶媒体又は半導体メモリで構成され、記憶装置１６に固定的に設けられるもの又は着脱自在に装着するものである。例えば、記憶装置１６は、制御装置２０から受信した撮影オーダ情報を格納するための撮影オーダ情報ファイル等を記憶している。
【００４３】
バーコードリーダ１７は、カセッテＩＤを取得するための取得手段の一例であり、光学的な読み取り装置であるスキャナを備えている。バーコードリーダ１７は、スキャナにてバーコードを読み取り、所定の規格に従ってデコードすることにより、バーコードが示す情報を取得する。ここで、所定の規格とは、ＪＡＮコード、ＵＰＣコード、ＣＯＤＥ３９、ＣＤＥ９３、ＣＯＤＥ１２８、ＮＷ−７、ＩＮＤＵＳＴＲＩＡＬ  ２ｏｆ５、ＩＴＦ物流コード等である。
【００４４】
具体的に、バーコードリーダ１７は、撮影を行う際に医用画像を記録するカセッテ５０に付帯されたバーコードを読み取り、カセッテＩＤを取得する。また、バーコードリーダ１７は、患者のベッドサイド又は患者の身体の一部に付帯されたバーコードを読み取り、患者ＩＤの認証を行った後、当該患者の撮影オーダ情報に対応するカセッテＩＤの対応付けが可能になるように構成してもよい。
【００４５】
図３は、制御装置２０の機能的構成を示すブロック図である。図２に示すように、制御装置２０は、ＣＰＵ２１、入力部２２、表示部２３、通信制御部２４、ＲＡＭ２５、記憶装置２６等を備えて構成され、各部はバス２７により接続されている。
【００４６】
ＣＰＵ２１は、記憶装置２６に記憶されているシステムプログラムや各種制御プログラムを読み出し、ＲＡＭ２５に展開し、該制御プログラムに従って各部の動作を集中制御する。また、ＣＰＵ２１は、ＲＡＭ２５に展開したプログラムに従って各種処理を実行し、その処理結果をＲＡＭ２５に一時記憶させるとともに、表示部２３に表示させる。
【００４７】
具体的に、ＣＰＵ２１は、記憶装置２６から通信設定処理プログラム及び通信状態表示処理プログラムを読み出して、制御装置２０と通信可能な携帯端末１０を設定する通信設定処理（図５（ｂ）参照）、制御装置２０と通信可能な携帯端末１０のアイコンを表示する通信状態表示処理（図６参照）を実行する。なお、各処理の詳細については後述する。
【００４８】
入力部２２は、カーソルキー、数字入力キー、及び各種機能キー等を備えたキーボードを含み、このキーボードで押下されたキーに対応する押下信号をＣＰＵ２１に出力する。なお、入力部２２は、必要に応じてマウス、タッチパネル等のポインティングデバイスや、その他の入力装置を備えることとしてもよい。
【００４９】
表示部２３は、ＬＣＤやＣＲＴ（Cathode Ray Tube）等により構成され、ＣＰＵ２１から入力される表示信号の指示に従って、入力部２２からの入力指示やデータ等を表示する。
【００５０】
通信制御部２４は、ＬＡＮアダプタやルータやＴＡ（Terminal Adapter）等によって構成され、専用線、或いはＩＳＤＮ回線等の通信回線を介してネットワークＮに接続された各装置との間の通信を制御する。例えば、通信制御部２４は、携帯端末１０が通信端末１０−１に装着された検出信号を受信すると、検出信号をＣＰＵ１１にする。また、通信端末１０−１を介して、制御装置２０と携帯端末１０との間で、データの転送速度の調整や、データ形式の変換を行い、両者間のデータのやりとりを仲介する。例えば、携帯端末１０との通信設定を行うため、携帯端末１０から送信される通信設定情報の受信を制御する。また、撮影開始前の携帯端末１０に撮影オーダ情報の送信を制御するとともに、撮影終了後の携帯端末１０からカセッテＩＤと対応付けられた撮影オーダ情報の受信を制御する。
【００５１】
ＲＡＭ２５は、ＣＰＵ１１により実行制御される各種処理において、記憶装置２６から読み出されたＣＰＵ２１で実行可能なシステムプログラム、制御プログラム、入力若しくは出力データ、及びパラメータ等の一時的に記憶する記憶領域を形成する。
【００５２】
記憶装置２６は、ＨＤＤ（Hard Disc Drive）や不揮発性の半導体メモリ等により構成され、ＣＰＵ２１で実行されるシステムプログラム、当該システムプログラムに対応する各種処理プログラム、及び処理結果等を記憶する。また、プログラムやデータが予め記憶された記録媒体（図示省略）を有しており、この記録媒体は、磁気的、光学的記録媒体、もしくは半導体メモリで構成され、記憶装置２６に固定的、或いは着脱自在に装着するものである。これらの各種プログラムは、読取可能なプログラムコードの形態で格納され、ＣＰＵ２１は、当該プログラムコードに従った動作を逐次実行する。
【００５３】
例えば、記憶装置２６は、通信端末１０−１を介して通信を行う携帯端末１０を設定する通信設定テーブル２６１を記憶している。図４を参照して、通信設定テーブル２６１について説明する。図４に示すように、通信設定テーブル２６１には、通信可能な携帯端末として登録される携帯端末１０の識別情報、携帯端末１０を管理する技師の識別情報となるユーザＩＤ、携帯端末１０と接続又は通信が行われている際に表示部２３に通信状態情報として表示されるアイコン（図柄）が記憶されている。
【００５４】
例えば、通信設定テーブル２６１の上段には、携帯端末１０の識別情報として「携帯端末１０ａ」が記憶され、ユーザＩＤとして「sato001」が記憶される。また、携帯端末のアイコンには、対応する技師のユーザＩＤがそれぞれ付帯されて記憶されている。
【００５５】
また、記憶装置２６は、情報管理装置６０から受信した撮影オーダ情報を記憶するための撮影オーダ情報ファイル（図示せず）を格納している。或いは、記憶装置２６は、端末装置１０から受信したカセッテＩＤ及び撮影オーダ情報に基づいて、撮影オーダ情報と、医用画像読取装置４０から受信した医用画像とを対応付けて記憶する。
【００５６】
次に、本実施の形態の動作を説明する。
なお、後述するフローチャートに記述されている各機能を実現するためのプログラムはコンピュータが読み取り可能なプログラムコードの形態で制御装置２０の記憶装置２６に格納されており、制御装置２０のＣＰＵ２１は、当該プログラムコードに従った動作を逐次実行する。
【００５７】
まず、図５を参照して携帯端末１０のＣＰＵ１１及び制御装置２０のＣＰＵ２１により実行される通信設定処理について説明する。図５（ａ）は、ＣＰＵ１１により実行される通信設定処理を示すフローチャートである。図５（ａ）に示すように、携帯端末１０を通信端末１０−１に装着させる（ステップＳ１）。続いて、ＣＰＵ１１は、操作部１２を介して、通信設定を行う指示が入力されたか否かを判別し（ステップＳ２）、通信設定を行う指示が入力された場合（ステップＳ２；ＹＥＳ）、表示部１３に設定入力画面（図示せず）を表示させて、設定情報の入力を行わせる（ステップＳ３）。
【００５８】
ここで、設定情報には、制御装置２０のＩＰアドレス、携帯端末１０を管理する技師のユーザＩＤ、携帯端末１０の接続時に制御装置２０に表示されるアイコン等が含まれる。ＣＰＵ１１は、設定情報が入力されると、自装置の識別情報を設定情報に付帯させ、入力されたＩＰアドレスを取得して、当該ＩＰアドレスに対応する制御装置２０に設定情報を送信する（ステップＳ４）。そして、通信設定を終了する指示が入力されたか否かを判別し（ステップＳ５）、続いて設定を行う指示が入力された場合（ステップＳ５；ＮＯ）、ステップＳ３に移行して、他の制御装置２０の通信設定を行う。また、通信設定を終了する指示が入力された場合（ステップＳ５；ＹＥＳ）、本通信設定処理を終了する。
【００５９】
図５（ｂ）は、ＣＰＵ２１により実行される通信設定処理を示すフローチャートである。図５（ｂ）に示すように、ＣＰＵ２１は、携帯端末１０から設定情報を受信したか否かを判別する（ステップＳ７）。設定情報を受信した場合（ステップＳ７；ＹＥＳ）、受信した設定情報及び設定情報に付帯されている携帯端末１０の識別情報を通信設定テーブル２６１に記憶させる（ステップＳ８）。次いで、ステップＳ７に移行し、次の設定情報を受信したか否かを判別し（ステップＳ７）、設定情報を受信しない場合（ステップＳ７；ＮＯ）、本通信設定処理を終了する。
【００６０】
次に、制御装置２０のＣＰＵ２１により実行される通信状態表示処理について説明する。図６は、ＣＰＵ２１により実行される通信状態表示処理を示すフローチャートである。図６に示すように、ＣＰＵ２１は、通信端末１０−１から携帯端末１０が装着されたことを検出する検出信号を受信すると（ステップＳ１１；ＹＥＳ）、通信制御部２４を制御して、携帯端末１０との間でネゴシエーションを行い、接続された携帯端末１０の識別情報を取得する。そして、ＣＰＵ２１は、通信設定テーブル２６１を取得して、接続された携帯端末１０が、通信設定テーブル２６１に設定されている携帯端末１０であるか否かを判別する（ステップＳ１２）。ここで、携帯端末１０が通信設定テーブル２６１に設定されていない場合（ステップＳ１２；ＮＯ）、ＣＰＵ２１は、表示部２３に何も表示させずに、本通信状態表示処理を終了する。
【００６１】
一方、携帯端末１０が通信設定テーブル２６１に設定されている場合（ステップＳ１２；ＹＥＳ）、ＣＰＵ２１は、通信設定テーブル２６１から対応するアイコンを取得して、取得したアイコンを通信状態情報として表示部２３に表示させる（ステップＳ１３）。図７を参照して、表示部２３に表示されたアイコンについて説明する。
【００６２】
図７は、アイコンが表示された表示画面例を示す図である。図７に示すように、表示画面２３１には、画面情報の表示領域Ａ１と、アイコンの表示領域Ａ２とが設けられている。表示領域Ａ１には、画面情報として、システムメニューが表示されており、システムの状態、技師選択、検査履歴、ユーティリティ等の各メニューを指示する指示ボタンが設けられている。また、画面形式、運用形態の指示ボタンには、入力項目が設けられ、例えば、運用形態の入力項目にポータブルを入力して、当該ボタンを指示すると、表示領域Ａ１には、ポータブル撮影装置４０にて撮影を行う場合のポータブルモード画面が表示される。
【００６３】
表示領域Ａ２には、制御装置２０と通信可能な携帯端末１０のアイコンが表示されている。制御装置２０と通信可能な携帯端末１０が複数ある場合、複数のアイコンが表示される。また、携帯端末１０との通信が開始されると、例えば、アイコンの表示が点滅表示に変化する。このように、アイコンの表示態様が変化することにより、技師は、確実に制御装置２０と携帯端末１０との間で通信が行われていることを認識することができる。
【００６４】
図６に戻り、ＣＰＵ２１は、通信制御部２４を制御して、通信が開始されたか否かを判別し（ステップＳ１４）、通信が開始された場合（ステップＳ１４；ＹＥＳ）、表示部２３に表示させたアイコンを点滅表示させる（ステップＳ１５）。続いて、ＣＰＵ２１は、携帯端末１０との通信が終了したか否かを判別し（ステップＳ１６）、通信が終了した場合（ステップＳ１６；ＹＥＳ）、携帯端末１０との接続が切断されたか否かを判別する（ステップＳ１７）。
【００６５】
携帯端末１０との接続が切断されていない場合（ステップＳ１７；ＮＯ）、ステップＳ１３に戻り、アイコンの表示態様を通常に戻し、ステップＳ１３〜ステップＳ１７の処理を繰り返して実行する。また、携帯端末１０との接続が切断された場合（ステップＳ１７；ＹＥＳ）、表示部２３に表示させているアイコンを非表示にして（ステップＳ１８）、本通信状態表示処理を終了する。
【００６６】
以上のように、本実施の形態の医用画像システム１００によれば、複数台の携帯端末１０、通信端末１０−１及び制御装置２０がネットワークＮを介して接続される場合に、通信可能な携帯端末１０を制御装置２０に予め設定しておき、通信端末１０−１に携帯端末１０が装着された場合に、携帯端末１０の識別情報を制御装置２０に送信させ、当該携帯端末が通信可能な携帯端末１０として制御装置２０に設定されていた場合、制御装置２０の表示部２３に、当該携帯端末１０に対応するアイコンを表示させることにより、携帯端末１０と制御装置２０との通信状態を明確にする。
【００６７】
したがって、技師は、制御装置２０の表示画面を閲覧するだけで、通信端末１０との通信が可能であるか否かを速やかに認識することができる。これにより、例えば、制御装置２０が複数台並んで設置されている場合、それぞれの制御装置２０において、携帯端末１０と通信が可能かどうかを確認する操作を行うことなく、自己の携帯端末１０と通信可能な制御装置２０を認識することができる。この結果、効率良く、速やかに携帯端末１０との通信作業を行うことができる。
【００６８】
また、予め通信設定した制御装置２０に通信可能な携帯端末１０のアイコンを表示させることにより、通信端末１０−１に携帯端末１０を装着したにも関わらず、携帯端末１０と制御装置２０との間で通信が行えない場合に、装置に不具合が発生しているのか、システムそのものに支障が生じているのかを容易に特定することができる。これにより、速やかに不具合を解消して、業務の中断を防ぐことができる。
【００６９】
また、例えば、通信端末１０−１と制御装置２０とが異なる場所に設置されている場合に、通信端末１０−１の設置場所まで、携帯端末１０が正しく装着されているかをわざわざ確認するまでもなく、制御装置２０の表示画面にて確認することができるため、利便性が良い。さらに、携帯端末１０と制御装置２０が通信可能な状態にある場合は、携帯端末１０のアイコンを普通に表示させ、携帯端末１０と制御装置２０の間で通信が開始された場合、アイコンを点滅させるため、アイコンの表示態様の変化により、携帯端末１０と制御装置２０の通信状態を一見して把握することができる。これにより、通信中に、携帯端末１０が通信端末１０−１から脱着されて、通信が切断されてしまうことがなく、通信エラーを防ぐことができる。
【００７０】
なお、上述した本実施の形態における記述は、本発明に係る好適な医用画像システムの一例であり、これに限定されるものではない。例えば、通信設定テーブル２６１には、携帯端末１０の識別情報と技師のユーザＩＤが対応付けて記憶され、技師のユーザＩＤを示すアイコンが表示部２３に表示される構成として説明を行ったが、ユーザＩＤが対応付けられていなくてもよく、携帯端末１０の識別情報を示すアイコンが表示される構成であってもよい。すなわち、通信設定テーブル２６１に記憶される情報は、上記例に限定されない。
【００７１】
また、本実施の形態においては、通常の画面情報と共に携帯端末１０との通信状態情報を示すアイコンを表示する場合を例として説明を行った表示態様はこれに限らない。例えば、図７に示す表示画面２３１において、システムメニューとして、通信状態なるメニューを追加して表示させ、通信状態のメニューを選択することにより、表示画面を切り替えて通信可能な携帯端末１０のアイコンを表示させる形態であっても良い。或いは、本実施の形態においては、通信可能な携帯端末１０に対応するアイコンのみを表示部２３に表示させる場合を例として説明を行ったが、例えば、通信設定テーブル２６１に設定されている携帯端末１０のうち、通信端末１０−１に装着されていない携帯端末１０については、接続が切断されていることを示すアイコンを表示させる態様であっても良い。
【００７２】
また、本実施の形態においては、医用画像システム１００に通信端末１０−１を備え、通信端末１０−１を介して携帯端末１０がネットワークＮに接続される場合を例として説明を行ったが、これに限らず、携帯端末１０の接続形態は任意である。例えば、通信端末１０−１を備えずに、携帯端末１０が無線通信等により直接ネットワークＮに接続される構成であってもよい。
【００７３】
さらに、本実施の形態においては、携帯端末１０において通信設定処理を行うことにより、制御装置２０の通信設定テーブル２６１に、携帯端末１０の識別情報等を記憶させて、制御装置２０と通信可能な携帯端末１０を設定する場合を例として説明を行ったが、制御装置２０において、通信可能な携帯端末１０の識別情報等を入力させて、通信可能な携帯端末１０の設定を行う構成であっても良い。或いは、通信に先立ち予め通信設定処理を行う必要はなく、携帯端末１０から各種情報を送信する際に、識別情報等を含む設定情報を同時に送信して、通信設定を行う構成であってもよい。
【００７４】
また、通信可能な携帯端末１０として、複数の携帯端末１０のアイコンが制御装置２０の表示部２３に表示された場合、制御装置２０において、技師が所望する携帯端末１０のアイコンを指示（例えば、クリック）することにより、指定された携帯端末１０と通信を開始することができる構成であってもよい。この構成によれば、例えば、制御装置２０において通信設定テーブル２６１に複数の携帯端末１０が設定され、複数の通信端末１０−１にこれらの携帯端末１０がそれぞれ略同時に装着された場合に、複数台の携帯端末１０と順次通信を行うことにより、効率良く作業を進めることができる。つまり、複数台の携帯端末１０へ順次情報を送信させる際に、その都度通信端末１０−１に携帯端末１０を置き換える必要が無く、通信端末１０−１が離れた場所にある場合、特に効率良く作業を行うことができる。
【００７５】
或いは、制御装置２０において、情報管理装置６０から受信した撮影オーダ情報を、通信設定テーブル２６１に設定されている携帯端末１０毎にキューに蓄えておき、通信端末１０−１に携帯端末１０が装着され、携帯端末１０との通信が可能となった場合に、表示部２３にアイコンを表示させると同時に、対応する撮影オーダ情報を自動的に携帯端末１０に送信させる構成であってもよい。この場合、撮影オーダ情報には、患者情報、撮影情報等の他に、どの携帯端末１０に撮影オーダ情報を取得させるかを特定するための携帯端末１０の識別情報が含まれているものとする。
【００７６】
その他、本実施の形態における医用画像システム１００の各構成要素の細部構成、及び細部動作に関しては、本発明の趣旨を逸脱することのない範囲で適宜変更可能であることは勿論である。
【図面の簡単な説明】
【００７７】
【図１】本発明を適用した実施の形態における医用画像システム１００のシステム構成を示す図である。
【図２】図１に示す携帯端末１０の機能的構成を示すブロック図である。
【図３】図１に示す制御装置２０の機能的構成を示すブロック図である。
【図４】図３に示す通信設定テーブル２６１のデータ構成例を示す図である。
【図５】図２に示すＣＰＵ１１により実行される通信設定処理を示すフローチャートである。
【図６】図３に示すＣＰＵ２１により実行される通信状態表示処理を示すフローチャートである。
【図７】携帯端末１０の接続状態を示すアイコンの表示例を示す表示画面である。
【符号の説明】
【００７８】
１００    医用画像システム
１０  携帯端末
１１    ＣＰＵ
１２    操作部
１３    表示部
１４    Ｉ／Ｆ
１５    ＲＡＭ
１６    記憶装置
１７    バーコードリーダ
１８    バス
１０−１  通信端末
２０  制御装置
２１    ＣＰＵ
２２    入力部
２３    表示部
２４    通信制御部
２５    ＲＡＭ
２６    記憶装置
２７    バス
３０  医用画像読取装置
４０  ポータブル撮影装置
５０  カセッテ
６０  情報管理装置
Ｎ    ネットワーク
【図１】
2005144038.tif 000003
【図２】
2005144038.tif 000004
【図３】
2005144038.tif 000005
【図４】
2005144038.tif 000006
【図５】
2005144038.tif 000007
【図６】
2005144038.tif 000008
【図７】
2005144038.tif 000009